(57)【要約】【課題】室内の粉塵汚れの大きさによって浮遊する空間が違うため、粉塵の大きさを検出してより効果的にかつ迅速に清浄化することが望まれている。【解決手段】本体１の下部に設けた開閉式吸気口３の開閉を、本体１内に備えた粉塵検出部により検出される粉塵の大きさによって決定することで、低域空間に浮遊する大きい粒子を検出した場合は吸気口２を開口し、高域空間に浮遊する小さい粉塵粒子を検出した場合は吸気口２を閉口することで粉塵が浮遊する空間の吸い込み量を増加させることができ、室内の空気の清浄化をより早くおこなうことができる。【選択図】図１
2008142624.tif 000002
【特許請求の範囲】
【請求項１】
本体に前面に設けた吸気口と、前記吸気口から吸気した汚れ空気を清浄化する清浄化手段と、前記清浄化手段に通風する送風手段と、清浄された空気を室内に吹出すための吹出し手段と、本体下部に設けた開閉可能な吸気手段と、空気中の粉塵を検出する粉塵検出手段と、前記粉塵検出手段からの信号から前記送風手段の風量を決定し運転制御する制御部を有し、前記制御部は前記粉塵検出手段により検出された粉塵のうち大きい粉塵が多い場合に前記吸気手段を開口するようにした空気清浄機。
【請求項２】
制御部は粉塵検出手段により検出された粉塵のうち小さい粉塵が多い場合に前記吸気手段を閉口するようにした請求項１記載の空気清浄機。
【請求項３】
制御部は粉塵検出手段により検出された粉塵の大きさにかかわらず粉塵の大きい粒子が１個以上検出された場合には前記吸気手段を開口するようにした請求項１または２記載の空気清浄機。
【請求項４】
制御部は粉塵検出手段により検出された粉塵のうち大きい粉塵が多い場合に前記吸気手段を開口し、前記送風手段の風量を大きくするようにした請求項１記載の空気清浄機。
【請求項５】
制御部は粉塵検出手段により検出された粉塵のうち大きい粉塵が多い場合に前記吸気手段を開口し、前記送風手段の風量を小さくするようにした請求項１記載の空気清浄機。
【請求項６】
制御部は人検出手段を有し、粉塵検出手段により検出された粉塵のうち大きい粉塵が多い場合に前記吸気手段を開口し、前記人検出手段により人を検出している場合には前記送風手段の風量を小さくし、人を検出していない場合には風量を大きくするようにした請求項１記載の空気清浄機。
【請求項７】
制御部は粉塵検出手段により検出された粉塵のうち大きい粉塵が多い場合に前記吸気手段を閉口し、前記送風手段の風量を大きくするようにした請求項２記載の空気清浄機。
【請求項８】
制御部は粉塵検出手段により検出された粉塵のうち小さい粉塵が多い場合に前記吸気手段を閉口し、前記送風手段の風量を小さくするようにした請求項２記載の空気清浄機。
【請求項９】
制御部は人検出手段を有し、粉塵検出手段により検出された粉塵のうち小さい粉塵が多い場合に前記吸気手段を閉口し、前記人検出手段により人を検出している場合には前記送風手段の風量を小さくし、人を検出していない場合には風量を大きくするようにした請求項２記載の空気清浄機。
【請求項１０】
制御部は粉塵検出手段からの信号を粉塵の大小毎に変換して粉塵レベル値として時系列的に２４時間分記憶し、この記憶した粉塵レベル値から決定される翌日の前記送風手段の風量と前記吸気手段の開閉を時系列的に運転制御するようにした請求項１または２記載の空気清浄機。
【請求項１１】
制御部は粉塵検出手段からの信号を粉塵の大小毎に変換して粉塵レベル値として時系列的に２４時間分記憶し、所定日数以上連続して大きい粉塵を検出した時間帯に対しては、翌日から前記吸気手段を開口し風量を最大にして運転するようにした請求項１または２記載の空気清浄機。
【請求項１２】
制御部は粉塵検出手段からの信号を粉塵の大小毎に変換して粉塵レベル値として時系列的に２４時間分記憶し、所定日数以上連続して小さい粉塵を検出した時間帯に対しては、翌日から前記吸気手段を閉口し風量を最大にして運転するようにした請求項１または２記載の空気清浄機。
【発明の詳細な説明】
【技術分野】
【０００１】
本発明は、粉塵センサーおよびガスセンサーにより室内の空気粉塵を検出し、制御部が送風手段を駆動して室内空気を吸い込み、清浄化手段を通して清浄化する空気清浄機に関するものである。
【背景技術】
【０００２】
従来、この種の空気清浄機は下記に記載されたものが知られている。
【０００３】
以下その空気清浄機について図１２および図１３を用いて説明する。図に示すように、空気清浄機本体１０１には、前面パネル１０２が設けられ、空気を清浄化するためのフィルター１０４と、フィルター１０４に通風するモーター１０５と、このモーター１０５を運転制御する制御部１０６を備えている。また、本体１０１の側面には室内の空気粉塵を検出する光学式の粉塵センサー１０７を設けている。
【０００４】
上記構成において、粉塵センサー１０７が汚れである粉塵を検出したとき、制御部１０６は粉塵センサー１０７からの信号の大小によりファンモーター１０５の回転数を変えて通風量を変化させ、室内の粉塵に対応した清浄化運転を行なっている（例えば、特許文献１参照）。
【特許文献１】特許第２７５８６５５号公報
【発明の開示】
【発明が解決しようとする課題】
【０００５】
このような従来の空気清浄機では、検出される汚れである粉塵の大きさに関係なく粉塵量によって通風量を変化させるだけのため、沈降しやすい粒径の大きい粉塵に対しては十分に吸い込めずに沈降してしまい清浄できないという課題があり、沈降しやすい大きな粉塵の場合でも確実に清浄化することが要求されている。
【０００６】
また、小さい粉塵に対しては室内中に浮遊している時間が長く、また高域空間に浮遊しているため効率良く粉塵を除去できないという課題があり、小さな粉塵の場合でも確実に清浄化することが要求されている。
【０００７】
また、大きい粉塵は沈降してしまうと除去できないという課題があり、大きい粉塵を検出した場合は優先的に清浄化することが要求されている。
【０００８】
また、大きい粉塵は沈降しやすいので素早く除去しなければならないという課題があり、大きい粉塵を検出した場合は風量を大きくして効率良く粉塵を除去することが要求されている。
【０００９】
また、大きい粉塵は沈降しやすく風量を大きくすることで除去効率は上がるが騒音が高くなるという課題があり、大きい粉塵を検出した場合でも低騒音で粉塵を除去することが要求されている。
【００１０】
また、使用者が不在の場合でも検出した粉塵レベルにしたがって運転するため除去効率が悪いという課題があり、使用者の有無を検出して効率良く粉塵を除去することが要求されている。
【００１１】
また、小さい粉塵は室内空間を飛散して浮遊するので効率良く除去できないという課題があり、小さい粉塵を検出した場合でも風量を大きくして効率良く粉塵を除去することが要求されている。
【００１２】
また、小さい粉塵は室内空間を飛散して浮遊しやすく風量を大きくすることで除去効率は上がるが騒音が高くなるという課題があり、小さい粉塵を検出した場合でも低騒音で粉塵を除去することが要求されている。
【００１３】
また、室内に発生する粉塵に対しては粉塵を検出してから運転開始するので、室内に広がってしまうという課題があり、事前に予測して運転制御することが要求されている。
【００１４】
また、毎日の生活パターンによって発生する粉塵に対しても、粉塵を検出してから運転するため毎回粉塵が広がるという課題があり、事前に予測して大風量でかつ短時間で除去することが要求されている。
【００１５】
本発明は、このような従来の課題を解決するものであり、粉塵の大きさを判別して吸い込み箇所の変更をおこない、また粉塵の大きさを判別して風量の変更をおこない、また人の在室の有無を検出して効率良く運転をおこない、また生活パターンを学習して粉塵が広がる前に粉塵を除去する運転モードとなる空気清浄機を提供することを目的としている。
【課題を解決するための手段】
【００１６】
本発明の空気清浄機は上記目的を達成するために、本体に側面に設けた吸気口と、前記吸気口から吸気した粉塵空気を清浄化する清浄化手段と、前記清浄化手段に通風する送風手段と、清浄された空気を室内に吹出すための吹出し手段と、本体下部に設けた開閉可能な吸気手段と、空気中の粉塵を検出する粉塵検出手段と、前記粉塵検出手段からの信号から前記送風手段の風量を決定し運転制御する制御部を有し、前記制御部は前記粉塵検出手段から検出された粉塵のうち大きい粉塵が多い場合に前記吸気手段を開口するようにしたものである。
【００１７】
この手段により低域空間に浮遊する大きい粉塵に対して本体下部に設けた吸気口を開口することで床付近の吸い込み能力が上がり効率良く粉塵を除去できる空気清浄機が得られる。
【００１８】
また、本発明の空気清浄機は上記目的を達成するために、制御部は粉塵検出手段により検出された粉塵のうち小さい粉塵が多い場合に前記吸気手段を閉口するようにしたものである。
【００１９】
この手段により広域空間に浮遊する小さい粉塵に対して本体下部に設けた吸気口を閉口することで室内の高域空間の吸い込み風量が上がり効率良く粉塵を除去できる空気清浄機が得られる。
【００２０】
また、本発明の空気清浄機は上記目的を達成するために、制御部は粉塵検出手段により検出された粉塵の大きさにかかわらず大きい粉塵が１個以上検出された場合には前記吸気手段を開口するようにしたものである。
【００２１】
この手段により小さい粉塵が多く存在しても大きな粉塵を検出した時点で本体下部に設けた吸気口を開口することで沈降しやすい粉塵を素早く除去し、その後に浮遊する粉塵を除去できる効率の良い運転ができる空気清浄機が得られる。
【００２２】
また、本発明の空気清浄機は上記目的を達成するために、制御部は粉塵検出手段により検出された粉塵のうち大きい粉塵が多い場合に前記吸気手段を開口し、前記送風手段の風量を大きくするようにしたものである。
【００２３】
この手段により低域空間に浮遊する大きい粉塵を検出すると本体下部に設けた吸気口を開口し大風量にて吸い込むので除去効率の良い運転ができる空気清浄機が得られる。
【００２４】
また、本発明の空気清浄機は上記目的を達成するために、制御部は粉塵検出手段により検出された粉塵のうち大きい粉塵が多い場合に前記吸気手段を開口し、前記送風手段の風量を小さくするようにしたものである。
【００２５】
この手段により低域空間に浮遊する大きい粉塵を検出しても本体下部に設けた吸気口を開口して小風量にて吸い込むので低騒音で粉塵を除去できる空気清浄機が得られる。
【００２６】
また、本発明の空気清浄機は上記目的を達成するために、制御部は人検出手段を有し、粉塵検出手段により検出された粉塵のうち大きい粉塵が多い場合に前記吸気手段を開口し、前記人検出手段により人を検出している場合には前記送風手段の風量を小さくし、人を検出していない場合には風量を大きくするようにしたものである。
【００２７】
この手段により低域空間に浮遊する大きい粉塵を検出した場合に本体下部に設けた吸気口を開口し、室内に人が居なければ大風量にて運転し、人が居れば小風量で運転するので効率良く粉塵を除去できる空気清浄機が得られる。
【００２８】
また、本発明の空気清浄機は上記目的を達成するために、制御部は粉塵検出手段により検出された粉塵のうち小さい粉塵が多い場合に前記吸気手段を閉口し、前記送風手段の風量を大きくするようにしたものである。
【００２９】
この手段により広域空間に浮遊する小さい粉塵を検出した場合に本体下部に設けた吸気口を閉口し、大風量で運転するので室内の高域空間の吸い込み風量が増加し効率良く粉塵を除去できる空気清浄機が得られる。
【００３０】
また、本発明の空気清浄機は上記目的を達成するために、制御部は粉塵検出手段により検出された粉塵のうち小さい粉塵が多い場合に前記吸気手段を閉口し、前記送風手段の風量を小さくするようにしたものである。
【００３１】
この手段により広域空間に浮遊する小さい粉塵を検出した場合に本体下部に設けた吸気口を閉口して小風量にて吸い込むので低騒音で粉塵を除去できる空気清浄機が得られる。
【００３２】
また、本発明の空気清浄機は上記目的を達成するために、制御部は人検出手段を有し、粉塵検出手段により検出された小さい粉塵が多い場合に前記吸気手段を閉口し、前記人検出手段により人を検出している場合には前記送風手段の風量を小さくし、人を検出していない場合には風量を大きくするようにしたものである。
【００３３】
この手段により広域空間に浮遊する小さい粉塵を検出した場合に本体下部に設けた吸気口を閉口し、室内に人が居なければ大風量にて運転し、人が居れば小風量で運転するので効率良く粉塵を除去できる空気清浄機が得られる。
【００３４】
また、本発明の空気清浄機は上記目的を達成するために、制御部は粉塵検出手段からの信号を粉塵の大小毎に変換して粉塵レベル値として時系列的に２４時間分記憶し、この記憶した粉塵レベル値から決定される翌日の前記送風手段の風量と前記吸気手段の開閉を時系列的に運転制御するようにしたものである。
【００３５】
この手段により室内に発生する粉塵を予測して翌日に運転をおこなうので粉塵が広がる前に運転し効率良く粉塵を除去できる空気清浄機が得られる。
【００３６】
また、本発明の空気清浄機は上記目的を達成するために、制御部は粉塵検出手段からの信号を粉塵の大小毎に変換して粉塵レベル値として時系列的に２４時間分記憶し、所定日数以上連続して大きい粉塵を検出した時間帯に対しては、翌日から前記吸気手段を開口し風量を最大にして運転するようにしたものである。
【００３７】
この手段により大きい粉塵が連続発生する時間帯は下部吸気口を開口し大風量で吸い込むので低域空間に浮遊する大きい粒径の粉塵を効率良く除去できる空気清浄機が得られる。
【００３８】
また、本発明の空気清浄機は上記目的を達成するために、制御部は粉塵検出手段からの信号を粉塵の大小毎に変換して粉塵レベル値として時系列的に２４時間分記憶し、所定日数以上連続して小さい粉塵を検出した時間帯に対しては、翌日から前記吸気手段を閉口し風量を最大にして運転するようにしたものである。
【００３９】
この手段により小さい粉塵が連続発生する時間帯は下部吸気口を閉口し大風量で吸い込むので高域空間に浮遊する小さい粒径の粉塵を効率良く除去できる空気清浄機が得られる。
【発明の効果】
【００４０】
本発明によれば、大きい粉塵、粒子を多く検出した時は本体下部の吸気口を開口することで室内の低域空間の汚れを吸い込むので床面に沈降しやすい大きい粉塵、粒子を効率良く除去できるという効果のある空気清浄機を提供できる。
【００４１】
また、小さい粉塵、粒子を多く検出した時は本体下部の吸気口を閉口することで室内の高域空間の汚れを吸い込むので浮遊しやすい小さい粉塵、粒子を効率良く除去できるとう効果のある空気清浄機を提供できる。
【００４２】
また、小さい粉塵、粒子を多く検出した時でも粒径の大きい粉塵、粒子を１個でも検出した時点で本体下部の吸気口を開口することで沈降しやすい大きい粉塵、粒子を除去し、その後に浮遊する粉塵を除去できる効率の良い運転ができる空気清浄機を提供できる。
【００４３】
また、大きい粉塵、粒子を多く検出した時は本体下部の吸気口を開口して大風量で吸い込むので除去効率の良い運転ができる空気清浄機を提供できる。
【００４４】
また、大きい粉塵、粒子を多く検出した時は本体下部の吸気口を閉口して小風量で吸い込むので低騒音で汚れを除去できる空気清浄機を提供できる。
【００４５】
また、大きい粉塵を検出した場合に本体下部に設けた吸気口を開口し、室内に人が居なければ大風量にて運転し、人が居れば小風量で運転するので効率良く粉塵を除去できる空気清浄機を提供できる。
【００４６】
また、小さい粉塵、粒子を検出した場合に本体下部に設けた吸気口を閉口し、大風量で運転するので室内の高域空間の吸い込み風量が増加し効率良く粉塵、粒子を除去できる空気清浄機を提供できる。
【００４７】
また、小さい粉塵、粒子を検出した場合に本体下部に設けた吸気口を閉口して小風量にて吸い込むので低騒音で粉塵、粒子を除去できる空気清浄機を提供できる。
【００４８】
また、小さい粉塵、粒子を検出した場合に本体下部に設けた吸気口を閉口し、室内に人が居なければ大風量にて運転し、人が居れば小風量で運転するので効率良く粉塵、粒子を除去できる空気清浄機を提供できる。
【００４９】
また、室内に発生する粉塵、粒子を予測して翌日に運転をおこなうので汚れが広がる前に運転し効率良く粉塵、粒子を除去できる空気清浄機を提供できる。
【００５０】
また、大きい粉塵、粒子が連続発生する時間帯は下部吸気口を開口し大風量で吸い込むので低域空間に浮遊する大きい粉塵、粒子を効率良く除去できる空気清浄機を提供できる。
【００５１】
また、小さい粉塵、粒子が連続発生する時間帯は下部吸気口を閉口し大風量で吸い込むので高域空間に浮遊する小さい粉塵、粒子を効率良く除去できる空気清浄機を提供できる。
【発明を実施するための最良の形態】
【００５２】
本発明の請求項１記載の発明は、本体に側面に設けた吸気口と、前記吸気口から吸気した粉塵空気を清浄化する清浄化手段と、前記清浄化手段に通風する送風手段と、清浄された空気を室内に吹出すための吹出し手段と、本体下部に設けた開閉可能な吸気手段と、空気中の粉塵を検出する粉塵検出手段と、前記粉塵検出手段からの信号から前記送風手段の風量を決定し運転制御する制御部を有し、前記制御部は前記粉塵検出手段により検出された粉塵のうち大きい粉塵が多い場合に前記吸気手段を開口するようにしたものであり、低域空間に浮遊する大きい粉塵に対して本体下部に設けた吸気口を開口することで床付近の吸い込み能力が上がり効率良く粉塵を除去できるという作用を有する。
【００５３】
また、制御部は粉塵検出手段により検出された粉塵のうち小さい粉塵が多い場合に前記吸気手段を閉口するようにしたものであり、広域空間に浮遊する小さい粉塵に対して本体下部に設けた吸気口を閉口することで室内の高域空間の吸い込み風量が上がり効率良く粉塵を除去できるという作用を有する。
【００５４】
また、制御部は粉塵検出手段により検出された粉塵の大きさにかかわらず大きい粉塵が１個以上検出された場合には前記吸気手段を開口するようにしたものであり、小さい粉塵が多く存在しても大きな粉塵を検出した時点で本体下部に設けた吸気口を開口することで沈降しやすい粉塵を素早く除去し、その後に浮遊する粉塵を除去できるという作用を有する。
【００５５】
また、制御部は粉塵検出手段により検出された粉塵のうち大きい粉塵が多い場合に前記吸気手段を開口し、前記送風手段の風量を大きくするようにしたものであり、低域空間に浮遊する大きい粉塵を検出すると本体下部に設けた吸気口を開口し大風量にて吸い込むので効率の良く除去できるという作用を有する。
【００５６】
また、制御部は粉塵検出手段により検出された粉塵のうち大きい粉塵が多い場合に前記吸気手段を開口し、前記送風手段の風量を小さくするようにしたものであり、低域空間に浮遊する粒径の大きい粉塵を検出しても本体下部に設けた吸気口を開口して小風量にて吸い込むので低騒音で粉塵を除去できるという作用を有する。
【００５７】
また、制御部は人検出手段を有し、粉塵検出手段により検出された粉塵のうち大きい粉塵が多い場合に前記吸気手段を開口し、前記人検出手段により人を検出している場合には前記送風手段の風量を小さくし、人を検出していない場合には風量を大きくするようにしたものであり、低域空間に浮遊する大きい粉塵を検出した場合に本体下部に設けた吸気口を開口し、室内に人が居なければ大風量にて運転し、人が居れば小風量で運転するので効率良く粉塵を除去できるという作用を有する。
【００５８】
また、制御部は粉塵検出手段により検出された粉塵のうち小さい粉塵が多い場合に前記吸気手段を閉口し、前記送風手段の風量を大きくするようにしたものであり、広域空間に浮遊する小さい粉塵を検出した場合に本体下部に設けた吸気口を閉口し、大風量で運転するので室内の高域空間の吸い込み風量が増加し効率良く粉塵を除去できるという作用を有する。
【００５９】
また、制御部は粉塵検出手段から検出された粉塵のうち小さい粉塵が多い場合に前記吸気手段を閉口し、前記送風手段の風量を小さくするようにしたものであり、広域空間に浮遊する小さい粉塵を検出した場合に本体下部に設けた吸気口を閉口して小風量にて吸い込むので低騒音で粉塵を除去できるという作用を有する。
【００６０】
また、制御部は人検出手段を有し、粉塵検出手段により検出された粉塵のうち小さい粉塵が多い場合に前記吸気手段を閉口し、前記人検出手段により人を検出している場合には前記送風手段の風量を小さくし、人を検出していない場合には風量を大きくするようにしたものであり、広域空間に浮遊する小さい粉塵を検出した場合に本体下部に設けた吸気口を閉口し、室内に人が居なければ大風量にて運転し、人が居れば小風量で運転するので効率良く粉塵を除去できるという作用を有する。
【００６１】
また、制御部は前記粉塵検出手段からの信号を粉塵の大小毎に変換して粉塵レベル値として時系列的に２４時間分記憶し、この記憶した粉塵レベル値から決定される翌日の前記送風手段の風量と前記吸気手段の開閉を時系列的に運転制御するようにしたものであり、室内に発生する粉塵を予測して翌日に運転をおこなうので粉塵が広がる前に運転し効率良く粉塵を除去できるという作用を有する。
【００６２】
また、制御部は前記粉塵検出手段からの信号を粉塵の大小毎に変換して粉塵レベル値として時系列的に２４時間分記憶し、所定日数以上連続して大きい粉塵を検出した時間帯に対しては、翌日から前記吸気手段を開口し風量を最大にして運転するようにしたものであり、大きい粉塵が連続発生する時間帯は下部吸気口を開口し大風量で吸い込むので低域空間に浮遊する大きい粉塵を効率良く除去できるという作用を有する。
【００６３】
また、制御部は前記粉塵検出手段からの信号を粉塵の大小毎に変換して粉塵レベル値として時系列的に２４時間分記憶し、所定日数以上連続して小さい粉塵を検出した時間帯に対しては、翌日から前記吸気手段を閉口し風量を最大にして運転するようにしたものであり、小さい粉塵が連続発生する時間帯は下部吸気口を閉口し大風量で吸い込むので高域空間に浮遊する小さい粉塵を効率良く除去できるという作用を有する。
【００６４】
以下、本発明の実施の形態について図面を参照しながら説明する。
【００６５】
（実施の形態１）
図１〜図５に示すように、空気清浄機の本体１は略箱形に形成され、本体１の正面にはフロントパネルを設け、本体１の側面に吸気口２、本体１下部に開閉式吸気口３を形成している。本体１内には空気を清浄化するためフィルター４と、このフィルター４に通風するファンモータ５が備えられ、本体１の天面には吹出部６が設けられている。ファンモータ５の駆動により吸気口２から空気が吸い込まれ、フィルター４を通って清浄された後、吹出部６から吹出される。
【００６６】
本体１側面には粉塵検出手段として光学式の粉塵センサ７ａを備えた粉塵検出部７が設けられている。
【００６７】
また本体１の正面上部には操作部８が設けられ、制御部９に演算部１０を設けている。
【００６８】
上記構成において、電源が通電されると制御部９は粉塵検出部７で検出した出力信号を０〜５の粉塵レベル値に変換する処理をおこない、操作部８を自動運転に設定すると、制御部９は粉塵レベル値に従ってファンモータ５を運転するものである。このとき粉塵検出部７の検出する粉塵レベルに対するファンモータ５の送風量は図２に示す関係としている。
【００６９】
また図３〜図５に示すように粉塵検出部７は検出される粉塵の大きさが３μｍ未満のものか３μｍ以上のものかを識別して制御部９にその信号を伝達する。制御部９はその信号を演算部１０にて演算し、３μｍ以上の大きい粉塵が多い場合には開閉式吸気口３を開口して下方からの吸い込み量を増やし、３μｍ未満の小さい粉塵が多い場合には開閉式吸気口３を閉口して側面からの吸い込みを増やしてそれぞれ空気粉塵の除去をおこなう。
【００７０】
以上のように検出される粉塵のうち、大きさが大きい粉塵、粒子が、小さい粉塵、粒子に比べて多い場合は室内の低域空間に対する吸い込み量を増加させることで効率良く粉塵を除去し、小さい粉塵、粒子が大きい粉塵、粒子に比べて多い場合には室内の高域空間に対する吸い込み量を増加させることで効率良く粉塵を除去することができる。
【００７１】
粉塵が大きいか小さいかは、沈降し易さをなど基に例えば３μｍを基準として、３μｍより大きい粉塵を大きい粉塵とし、３μｍより小さい粉塵を小さい粉塵としている。
【００７２】
また、検出された粉塵のうち、大きさが小さい粉塵、粒子が大きい粉塵、粒子に比べて多い場合でも大きい粉塵、粒子を検出した場合には開閉式吸気口３を開口して優先的に大きさが大きい粉塵、粒子を除去するようにしても良い。
【００７３】
（実施の形態２）
本実施の形態は前記実施の形態１と制御方法が異なるのみであり、同一構成のものは同一番号を付して詳しい説明は省略する。
【００７４】
図６に示すように粉塵検出部７で検出される粉塵のうち、大きさが大きい粉塵、粒子が多い場合には開閉式吸気口３を開口して粉塵検出部７で検出された粉塵レベル値によって決定される運転風量を１段階上げ、粉塵検出部７で検出される粉塵のうち、大きさが小さい粉塵、粒子が多い場合には開閉式吸気口３を閉口して粉塵検出部７で検出された粉塵レベル値によって決定される運転風量を１段階上げて運転し空気粉塵の除去をおこなう。
【００７５】
例えば、粉塵検出部７で検出された粉塵レベルが３の場合は運転風量が中ノッチであるが検出される粉塵のうち、大きさが大きい粉塵、粒子が小さい粉塵、粒子に比べて多い場合に開閉式吸気口３を開口して運転風量を強ノッチにして運転し、検出される粉塵のうち、大きさが小さい粉塵、粒子が大きい粉塵、粒子に比べて多い場合に開閉式吸気口３を閉口して運転風量を強ノッチにして運転し空気粉塵の除去をおこなう。
【００７６】
以上のように検出される粉塵の大きさによって吸気口を開閉しさらに運転風量を大きくすることでより多く浮遊している空間に対して吸い込み量を増加できるので短時間で粉塵を除去することができる。
【００７７】
（実施の形態３）
本実施の形態は前記実施の形態１あるいは２と制御方法が異なるのみであり、同一構成のものは同一番号を付して詳しい説明は省略する。
【００７８】
図７に示すように粉塵検出部７で検出される粉塵のうち、大きさが大きい粉塵、粒子が多い場合には開閉式吸気口３を開口して粉塵検出部７で検出された粉塵レベル値によって決定される運転風量を１段階下げ、粉塵検出部７で検出される粉塵のうち、大きさが小さい粉塵、粒子が多い場合には開閉式吸気口３を閉口して粉塵検出部７で検出された粉塵レベル値によって決定される運転風量を１段階下げて運転し空気粉塵の除去をおこなう。
【００７９】
例えば、粉塵検出部７で検出された粉塵レベルが３の場合は運転風量が中ノッチであるが検出される粉塵のうち、大きさが大きい粉塵、粒子が小さい粉塵、粒子に比べて多い場合に開閉式吸気口３を開口して運転風量を弱ノッチにして運転し、検出される粉塵のうち、大きさが小さい粉塵、粒子が大きい粉塵、粒子に比べて多い場合に開閉式吸気口３を閉口して運転風量を弱ノッチにして運転し空気粉塵の除去をおこなう。
【００８０】
以上のように検出される粉塵の大きさによって吸気口を開閉することで運転風量を小さくしても粉塵が浮遊している空間から粉塵を除去しているので低騒音で運転することができる。
【００８１】
（実施の形態４）
本実施の形態は前記実施の形態１あるいは２に対して使用者を検出する人検知部１１を設けたものであるため、同一構成のものは同一番号を付して詳しい説明は省略する。
【００８２】
図８、図９に示すように粉塵検出部７で検出される粉塵レベルが３の場合は運転風量は例えば、中ノッチに設定されるが、粉塵検出部７で検出される粉塵のうち、大きさが大きい粉塵、粒子が多い場合には開閉式吸気口３を開口して、さらに人検知部１１で使用者の在室を検出した場合には運転風量を１段階下げた弱ノッチにし、使用者の在室を検出しなかった場合には、運転風量を１段階上げた強ノッチにして運転し空気粉塵の除去をおこなう。
【００８３】
また、粉塵検出部７で検出される粉塵のうち、大きさが小さい粉塵、粒子が大きい粉塵、粒子に比べて多い場合は開閉式吸気口３を閉口して、さらに人検知部１１で使用者の在室を検出した場合には運転風量を１段階下げた弱ノッチにし、使用者の在室を検出しなかった場合には運転風量を１段階上げた強ノッチにして運転し空気粉塵の除去をおこなう。
【００８４】
以上のように使用者が存在する場合には運転風量を下げて騒音による煩わしさを解消して清浄運転でき、使用者が不在の場合には運転風量を上げて短時間で粉塵を除去することができる。
【００８５】
（実施の形態５）
本実施の形態は前記実施の形態１あるいは２と制御方法が異なるのみであり、同一構成のものは同一番号を付して詳しい説明は省略する。
【００８６】
まず電源が通電されると制御部９は２０分間隔で粉塵検出部７で検出した出力信号を０〜５の粉塵レベル値に変換し、各２０分間の粉塵レベル値の最大値と検出された粉塵の量で粉塵の大きさ、粒径が３μｍ以上の粉塵、粒子が多いか、粉塵の大きさ、粒径が３μｍ未満の粉塵、粒子が多いかをそれぞれ記憶し始め、規定時間としてトータル２４時間分の７２個のデータを時系列に記憶する。
【００８７】
まず、初回運転を開始するために操作部８を自動運転に設定すると、基本動作としてファンモータ５を１０分間運転し、５０分間停止するサイクルを繰り返す。粉塵検出部７により空気粉塵を検出すると粉塵レベルに応じた風量で運転を開始する。
【００８８】
空気粉塵が清浄化され粉塵レベルが０になるとファンモータ５が停止するが、５０分間の停止状態が継続していると判断した場合に、制御部９は１０分間の運転と５０分間の停止サイクルを繰り返す間欠運転に再び移行する。
【００８９】
以上のような運転を行なう間に制御部９は粉塵検出部７で検出した信号を０〜５の６段階の粉塵レベル値と粉塵の大きさが大か小かの粒径判定レベル値に変換し、この粉塵レベル値と粒径判定レベル値を２０分間隔の時系列データとして翌日の予測運転のために記憶する。なお、このときの個々の粉塵レベル値は各２０分間の最高値を記憶するようにしているが、各２０分間の平均値としてもよい。
【００９０】
次の日（粉塵データ値の記憶開始から２４時間後）は、記憶された粉塵レベル値に対応する風量と粒径判定レベル値に対応する開閉式吸気口３の開閉状態にて１０分ＯＮ、１０分ＯＦＦの基本間欠運転を行なう。
【００９１】
例えば図１０（イ）（ロ）に示すように、２２時から２３時の２０分毎に検出される粉塵レベル値は３，２，１、粒径判定レベル値は大、小、大となり、次の日の基本間欠運転は運転風量を中（１０分）・吸気口開口、０、中（１０分）・吸気口閉口、０、弱（１０分）・吸気口開口、０の１０分間隔の間欠運転となる。この基本間欠運転を行なうときも、室内の空気粉塵を粉塵検出部７により検出を行ない、この検出された粉塵レベル値に従った風量を、基本間欠運転の風量０区間に加えた実動運転を行なう。
【００９２】
以上のように事前に発生する粉塵のレベルと粉塵の大きさを予測して運転開始するので粉塵が広がる空間に対して効率良く除去することができる。
【００９３】
（実施の形態６）
本実施の形態は前記実施の形態１あるいは２と制御方法が異なるのみであり、同一構成のものは同一番号を付して詳しい説明は省略する。
【００９４】
図１１（イ）（ロ）（ハ）に示すように同じ時間帯に粒径判定レベル値大が２回以上続いた場合は開閉式吸気口３を開口して粉塵レベルによって決定される運転風量を最大風量に変更して運転し、また粒径判定レベル値小が２回以上続いた場合は開閉式吸気口３を閉口して粉塵レベルによって決定される運転風量を最大風量に変更して運転するようにしている。
【００９５】
このように大きい粉塵、粒子が小さい粉塵、粒子に比べて連続して多い時間帯は下方からの吸い込み風量を大きくして運転するので沈降しやすい粉塵を短時間で除去することができ、また、小さい粉塵が連続して多い時間帯は、横方向からの吸い込み風量を大きくして運転するので浮遊しやすい粉塵を短時間で除去することができる。
【産業上の利用可能性】
【００９６】
空気中の粉塵の大きさによって吸気口の開閉をおこない吸い込み方向を変更するので、エアコンの運転制御にも適用できる。
【図面の簡単な説明】
【００９７】
【図１】本発明の実施の形態１の空気清浄機の一部破断の外観斜視図
【図２】同検出部の粉塵レベル値に対する運転風量の相関図
【図３】同制御ブロック図
【図４】同制御フローチャート
【図５】同空気清浄機の吸い込み風量の模試図（（イ）開閉式吸気口開口時の吸い込み風量の模試図、（ロ）開閉式吸気口閉口時の吸い込み風量の模試図）
【図６】本発明の実施の形態２の検出部の粉塵レベル値に対する運転風量の相関図（（イ）粒径が大きい粉塵、粒子を検出した場合の粉塵検出部の粉塵レベル値に対する運転風量と開閉式吸気口の開閉を示す図、（ロ）粒径が小さい粉塵、粒子を検出した場合の粉塵検出部の粉塵レベル値に対する運転風量と開閉式吸気口の開閉を示す図）
【図７】本発明の実施の形態３の検出部の粉塵レベル値に対する運転風量の相関図（（イ）粒径が大きい粉塵、粒子を検出した場合の粉塵検出部の粉塵レベル値に対する運転風量と開閉式吸気口の開閉を示す図、（ロ）粒径が小さい粉塵、粒子を検出した場合の粉塵検出部の粉塵レベル値に対する運転風量と開閉式吸気口の開閉を示す図）
【図８】本発明の実施の形態４の制御ブロック図
【図９】同制御フローチャート
【図１０】本発明の実施の形態５のタイミングチャート（（イ）記憶される粉塵レベツ値と粒径判定レベル値を示す図、（ロ）次の日の基本間欠運転と開閉式吸気口の開閉を示す図）
【図１１】本発明の実施の形態６のタイミングチャート（（イ）記憶される粉塵レベル値と粒径判定レベル値を示す図、（ロ）次の日の基本間欠運転と開閉式吸気口の開閉を示す図、（ハ）上記（イ）の粉塵検出が連続した場合の翌々日の基本間欠運転を示す図）
【図１２】従来の空気清浄機の外観斜視図
【図１３】同検出部の粉塵レベル値に対する運転風量の相関図
【符号の説明】
【００９８】
１  本体
２  吸気口
３  開閉式吸気口
４  フィルター
５  ファンモータ
６  吹出部
７  粉塵検出部
９  制御部
【図１】
2008142624.tif 000003
【図２】
2008142624.tif 000004
【図３】
2008142624.tif 000005
【図４】
2008142624.tif 000006
【図５】
2008142624.tif 000007
【図６】
2008142624.tif 000008
【図７】
2008142624.tif 000009
【図８】
2008142624.tif 000010
【図９】
2008142624.tif 000011
【図１０】
2008142624.tif 000012
【図１１】
2008142624.tif 000013
【図１２】
2008142624.tif 000014
【図１３】
2008142624.tif 000015